(57)【要約】      （修正有）【課題】気球が保管時に容易に脆くなるのを防止する、ラジオゾンデの自動放球システムで使用する構成を提供する。【解決手段】構成は、ゾンデと気球が配置されている少なくとも１つの容器２を有し、少なくとも１つの容器は、この容器と脱着可能に連結されている蓋３を有している。さらに構成は、第１の搬送ユニット４（ロボット）を有し、第１の搬送ユニットは、蓋とかみ合わせることができ、少なくとも１つの容器に関して、蓋を第１の閉鎖ポジションから容器から取り外された第２のポジションに移動させる。【選択図】図４
0003224940.tif 000002
【実用新案登録請求の範囲】
【請求項１】
ラジオゾンデの自動放球システム（８）で使用する構成（１）であって、
−  ゾンデと気球が配置されている少なくとも１つの容器（２）であって、前記少なくとも１つの容器（２）と脱着可能に連結されている蓋（３）を有している、少なくとも１つの容器（２）と、
−  第１の搬送ユニット（４）であって、前記蓋（３）とかみ合わせることができ、前記少なくとも１つの容器（２）に関して、前記蓋（３）を第１のポジションから第２のポジションに移動させることができる、第１の搬送ユニット（４）と
を有している構成（１）。
【請求項２】
前記第１の搬送ユニット（４）はロボットである、請求項１に記載の構成（１）。
【請求項３】
前記第１の搬送ユニット（４）は、前記少なくとも１つの容器（２）に関して、前記少なくとも１つの容器（２）を前記蓋（３）で閉鎖している前記第１のポジションから、前記少なくとも１つの容器（２）から前記蓋（３）を取り外している前記第２のポジションへと、前記蓋（３）を移動できるように設計されている、請求項１又は２に記載の構成（１）。
【請求項４】
前記少なくとも１つの容器（２）内にゾンデと気球が配置されており、前記構成（１）は、前記少なくとも１つの容器（２）が前記蓋（３）の取外し後に第２の搬送ユニット（５）によって前記気球と前記ゾンデを放球する放球サイロ（９）まで移動するように設計されている、請求項１から３のいずれかに記載の構成（１）。
【請求項５】
前記構成（１）は、前記少なくとも１つの容器（２）が前記気球と前記ゾンデの放球後に前記第２の搬送ユニット（５）によって、前記蓋（３）と前記少なくとも１つの容器（２）とを連結している前記第１の搬送ユニット（４）まで移動するように設計されている、請求項１から４のいずれかに記載の構成（１）。
【請求項６】
前記構成（１）は、前記少なくとも１つの容器（２）が前記蓋（３）の連結後に保管庫（６）へ移動するように設計されている、請求項１から５のいずれかに記載の構成（１）。
【請求項７】
前記構成（１）は、前記蓋（３）の取外し後に前記少なくとも１つの容器（２）にゾンデと気球を装備するため、前記少なくとも１つの容器（２）が供給ステーション（７）に移動するように設計されている、請求項１から６のいずれかに記載の構成（１）。
【請求項８】
前記少なくとも１つの容器（２）は、前記ゾンデを配置するための第１のチャンバー（１２）と、前記気球を配置するための第２のチャンバー（１３）を有している、請求項１から７のいずれかに記載の構成（１）。
【請求項９】
前記少なくとも１つの容器（２）は、ほぼ密閉状態又は密閉状態が生じるように前記蓋（３）で閉鎖されている、請求項１から８のいずれかに記載の構成（１）。
【請求項１０】
前記少なくとも１つの容器（２）及び／又は前記蓋（３）は、少なくとも１つのシールを有している、請求項１から９のいずれかに記載の構成（１）。
【請求項１１】
前記蓋（３）は、前記少なくとも１つの容器（２）に関して、前記第１の搬送ユニット（４）によって前記第２のポジションから前記第１のポジションへと戻ることができる、請求項１から１０のいずれかに記載の構成（１）。
【請求項１２】
前記構成（１）は、供給ステーションを有している、請求項１から１１のいずれかに記載の構成（１）。
【請求項１３】
前記構成（１）は、コンピュータ（１０）を有している、請求項１から１２のいずれかに記載の構成（１）。
【請求項１４】
前記構成（１）は、前記少なくとも１つの容器（２）を保管するための保管庫（６）を有している、請求項１から１３のいずれかに記載の構成（１）。
【請求項１５】
前記構成（１）は、少なくとも１つの別の搬送ユニットを有している、請求項１から１４のいずれかに記載の構成（１）。
【請求項１６】
前記構成（１）は、コンテナ（１１）内に配置されている、請求項１から１５のいずれかに記載の構成（１）。
【請求項１７】
前記容器（２）の中には、ゾンデと気球が配置されている、請求項１から１６のいずれかに記載の構成（１）。
【請求項１８】
前記第１の搬送ユニット（４）は、機械式グリッパー、真空グリッパー又はマグネットグリッパーを有している、請求項１から１７のいずれかに記載の構成（１）。
【考案の詳細な説明】
【技術分野】
【０００１】
本考案は、ラジオゾンデの自動放球システムで使用する構成に関する。
【背景技術】
【０００２】
大気特性を観測するさまざまなラジオゾンデが知られている。独国実用新案第２０２０１３１０４５８６Ｕ１号明細書は、例えば、空気よりも軽い気体を充填して浮力を発生する気球に装填する大気特性観測用ラジオゾンデを説明している。ラジオゾンデと気球を組み合わせたものを大気中に上昇させ、上昇中に大気圧、相対湿度、温度、風速及び風向といった大気の測定値が観測される。
【０００３】
国際公開第２０１５／１１８２２５Ａ１号パンフレット及び米国特許出願公開第２０１６／０３４００１５Ａ１号明細書では、さらに地上局からのラジオゾンデの自動放球システムがそれぞれ開示されている。コンテナとして形成されている地上局の内部には、気球とゾンデを収納する開口容器を保管するための保管庫が設けられている。この保管庫からそれぞれ１つの開口容器が、ｘ、ｙ、ｚマニピュレータ又は３Ｄロボットによって取り出され、コンテナ内の開口部から放球サイロに送られ、その中で空気よりも軽い気体が気球に充填される。このラジオゾンデが放球されると、次の容器が保管庫から取り出され、放球サイロへと送られる。問題となるのは、開口容器内に準備されている気球が脆くなりやすいことである。
【先行技術文献】
【特許文献】
【０００４】
【特許文献１】独国実用新案第２０２０１３１０４５８６Ｕ１号明細書
【特許文献２】国際公開第２０１５／１１８２２５Ａ１号パンフレット
【特許文献３】米国特許出願公開第２０１６／０３４００１５Ａ１号明細書
【考案の概要】
【考案が解決しようとする課題】
【０００５】
従って、本考案の課題は、気球が保管時に容易に脆くなるのを防止する、ラジオゾンデの自動放球システムで使用する構成を提供することである。特定の実施形態は、国際公開第２０１５／１１８２２５Ａ１号パンフレット又は米国特許出願公開第２０１６／０３４００１５Ａ１号明細書に記載の装置において適用可能であると考えられる。
【課題を解決するための手段】
【０００６】
本考案は、独立請求項の特徴によって定義される。いくつかの特殊な実施形態は、従属請求項に定義されている。
【０００７】
本考案の態様に従って、ラジオゾンデの自動放球システムで使用する構成が提供され、この構成は、ゾンデと気球が配置されている少なくとも１つの容器を有しており、少なくとも１つの容器は、この少なくとも１つの容器と脱着可能に連結されている蓋を有している。さらにこの構成は、第１の搬送ユニットを有しており、この第１の搬送ユニットは、蓋とかみ合わせることができ、少なくとも１つの容器に関して、蓋を第１のポジションから第２のポジションに移動させることができる。
【０００８】
本考案のさまざまな実施形態には、以下のリストに記載されている特徴のうち、少なくとも１つが含まれている：
・第１の搬送ユニットはロボットである
・第１の搬送ユニットは、少なくとも１つの容器に関して、少なくとも１つの容器を蓋で閉鎖している第１のポジションから、少なくとも１つの容器から蓋を取り外している第２のポジションへと、蓋を移動できるように設計されている
・少なくとも１つの容器内にゾンデと気球が配置されており、この構成は、少なくとも１つの容器が蓋の取外し後に第２の搬送ユニットによって気球とゾンデを放球する放球サイロまで移動するように設計されている
・この構成は、少なくとも１つの容器が気球とゾンデの放球後に第２の搬送ユニットによって、蓋と少なくとも１つの容器とを連結している第１の搬送ユニットまで移動するように設計されている
・この構成は、少なくとも１つの容器が蓋の連結後に保管庫へ移動するように設計されている
・この構成は、蓋の取外し後に少なくとも１つの容器にゾンデと気球を装備するため、少なくとも１つの容器が第１の搬送ユニットによって供給ステーションに移動するように設計されている
・少なくとも１つの容器は、ゾンデを配置するための第１のチャンバーと、気球を配置するための第２のチャンバーを有している
・少なくとも１つの容器は、ほぼ密閉状態又は密閉状態が生じるように蓋で閉鎖されている
・少なくとも１つの容器及び／又は蓋は、少なくとも１つのシールを有している
・蓋は、少なくとも１つの容器に関して、第１の搬送ユニットによって第２のポジションから第１のポジションへと戻ることができる
・この構成は、供給ステーションを有している
・この構成は、コンピュータを有している
・この構成は、少なくとも１つの容器を保管するための保管庫を有している
・この構成は、少なくとも１つの別の搬送ユニットを有している
・この構成は、コンテナ内に配置されている
・容器の中には、ゾンデと気球が配置されている
・第１のチャンバー内には、ゾンデが配置されている
・第２のチャンバー内には、気球が配置されている
・ゾンデと気球は、保管庫内の少なくとも１つの容器の中に配置されている
・第１の搬送ユニットは、機械式グリッパー、真空グリッパー又はマグネットグリッパーを有している。
【０００９】
本考案は、非常に大きな利点をもたらす。ラジオゾンデの自動放球システムで使用する構成は、本考案に従って提供される。気球は、保管庫内の閉鎖された容器の中にゾンデと一緒に保管される。保管庫内で容器を保管している間、空気の出入りは蓋によって大幅に軽減される。特に、周辺環境から閉鎖容器の内部にオゾンが侵入することは不可能である。従って、容器内に準備されている気球は脆くなりにくい。言い換えると、蓋によって容器をほぼ密閉状態又は密閉状態にすることにより、保管庫内の気球の許容保存期間を延ばすことが可能となる。
【００１０】
必要に応じて、気球とゾンデの入った容器を、例えばロボットやその他のハンドリングユニットによって保管庫から取り出すこともできる。容器は第１の搬送ユニットに送られ、この搬送ユニットによって蓋は第１の閉鎖ポジションから、容器から取り外された第２のポジションに移動可能である。気球及びゾンデを備えた容器は、次に、第２の搬送ユニットによって放球サイロに送られ、そこで空気よりも軽い気体が気球に充填される。放球サイロからラジオゾンデが放球されると、空になった容器は再び第１の搬送ユニットまで移動し、一般にラジオゾンデの開始プロセス中は第１の搬送ユニットによって保持されている蓋は、第１の搬送ユニットによって再び容器に連結される。続いて、空の容器はもう一度保管庫に送られる。
【００１１】
本考案のいくつかの実施形態によれば、空の容器を保管庫から第１の搬送ユニットに送り、この搬送ユニットによって容器から蓋を取り外し、続いて空の容器を供給ステーションに送り、そこで再び空の容器に新しい気球と新しいゾンデを充填する。再充填された容器は、次に、第１の搬送ユニットへと移動し、そこで蓋と容器が連結される。続いて、再充填後に蓋で密閉された容器は保管庫へと送られる。
【００１２】
保管庫と第１の搬送ユニット間の移動、ならびに第１の搬送ユニットと供給ステーション間の移動は、第２の搬送ユニット又は少なくとも１つの別の搬送ユニットによって実施することができる。
【図面の簡単な説明】
【００１３】
【図１】本考案の少なくとも１つの実施形態と一致する、ラジオゾンデの自動放球システムで使用する構成の斜視図である。
【図２】本考案の少なくとも１つの実施形態と一致する、ラジオゾンデの自動放球システムで使用する構成の側面図である。
【図３】本考案の少なくとも１つの実施形態と一致する、ラジオゾンデの自動放球システムで使用する構成を上から見た図である。
【図４】本考案の少なくとも１つの実施形態と一致する、ラジオゾンデの自動放球システムで使用する構成を提供しているラジオゾンデの自動放球システムの側面図である。
【考案を実施するための形態】
【００１４】
本明細書の「搬送ユニット」とは、少なくとも１つの容器を移動させる装置、又は少なくとも１つの容器の蓋を移動させる装置、又は少なくとも１つの容器を蓋と一緒に移動させる装置を意味している。搬送ユニットの例は、機械式グリッパーを備えるロボット、ベルヌーイ式グリッパーを備えるロボット、マグネットグリッパーを備えるロボット、コンベアベルトなどである。搬送ユニットは、１方向、２方向又は３方向に移動することができる。さらに、搬送装置は、本考案のいくつかの実施形態に従って、１軸、２軸又は３軸を中心に回転することも可能である。
【００１５】
図１には、本考案の少なくとも１つの実施形態と一致する、ラジオゾンデの自動放球システムで使用する構成１の斜視図が示されている。構成１は、ゾンデと気球が配置されている容器２を有している。容器２の内側は、ゾンデと気球が決められた場所の決められたポジションに配置されるように形成してよい。ゾンデと気球は、容器内で紐によって相互に接続されている。さらに容器２は、容器２と脱着可能に連結されている蓋３も有している。言い換えると、蓋３を載せるか、あるいはスライドさせることで容器２に取り付け、容器２から取り外すことができる。
【００１６】
通常、容器２又は蓋３は、少なくとも１つのシールを有している。このシールにより、容器２は密閉状態又はほぼ密閉状態で蓋３によって閉鎖されているため、気球が配置されている容器２の内部と周辺との間で空気の出入りは発生しないか、又はほぼ発生しない。これにより、容器２での保管時に気球がすぐに脆くなるのを防止できる。
【００１７】
容器２は、本考案のいくつかの実施形態に従って、ゾンデを配置するための第１のチャンバー１２と、気球を配置するための第２のチャンバー１３を有している。言い換えれば、容器２は、気球とゾンデが容器２内で空間的に分離された状態で配置できるように設計されている。例えば、第１のチャンバー１２と第２のチャンバー１３との間に空気を通さない隔壁を設けてもよい。これにより、気球の保管用に第２のチャンバー１３によって提供される容積は縮小される。従って、第２のチャンバー１３内部の空気量もかなり少なくなる。
【００１８】
さらに、この構成は第１の搬送ユニット４を有しており、このユニットは蓋３とかみ合い、容器２に関して蓋３を第１のポジションから第２のポジションに移動させることができる。第１のポジションでは、蓋と容器は連結している。通常、この第１のポジションにある蓋３は容器２の上に載っている。第２のポジションでは、蓋３と容器２は完全に離れている。容器２から蓋３を取り外すには、例えば蓋３を容器２から持ち上げるか、又は蓋３を容器２に対して横へスライドさせて行うことができる。もちろん、第２のポジションから第１のポジションへの反対方向の移動も第１の搬送ユニット４によって行ってよい。
【００１９】
本明細書において説明している構成１は、ラジオゾンデの自動放球システム８での使用に適している。この種の装置８は、図４に詳しく示されている。
【００２０】
図２には、本考案の少なくとも１つの実施形態と一致する、ラジオゾンデの自動放球システム８で使用する構成1の側面図が示されている。構成１は、ゾンデと気球が配置されている容器２を有しており、このとき、少なくとも１つの容器２は、少なくとも１つの容器２と脱着可能に連結している蓋３を有している。さらに、構成１は第１の搬送ユニット４を有しており、この第１の搬送ユニット４は蓋３とかみ合わせることができ、少なくとも１つの容器２に関して、蓋３を第１のポジションから第２のポジションに移動させることができる。
【００２１】
蓋３は、容器２で閉鎖されている状態で図２に示されている。第１の搬送ユニット４の連結部品１４は、蓋とかみ合わせることができる。通常、このことは、機械式、マグネット式又は空圧式で行ってよい。例えば、連結部品１４は、機械式グリッパー、マグネットグリッパー又はサクショングリッパーもしくは真空グリッパーであってよい。
【００２２】
連結部品１４は、蓋３が容器２に対して移動するように、蓋３にかみ合わせることができる。例えば、この種の移動は、容器２に対して蓋３を矢印Ａに従って動かすことによって行われる。また、この種の移動は、例えば、容器２に対して蓋３を矢印Ｂに従って上昇又は下降させることによって行ってもよい。さらに、例えば産業用ロボットを使って、蓋３を矢印Ａ及びＢ方向に動かすことも可能である。
【００２３】
図３には、本考案の少なくとも１つの実施形態と一致する、ラジオゾンデの自動放球システム８で使用する構成1を上から見た図が示されている。連結部品１４は、蓋３が容器２に対して移動するように蓋３にかみ合わせることができる。例えば、この種の移動は、容器２に対して蓋３を矢印Ａ及び／又は矢印Ｃに従って動かすことで行われる。
【００２４】
図４は、本考案の少なくとも１つの実施形態と一致する、ラジオゾンデの自動放球システム８で使用する構成１を提供しているラジオゾンデの自動放球システム８の側面図である。ゾンデと気球が配置されている容器２は、例えば、ｘ、ｙ、ｚマニピュレータを使って、装置８の保管庫６から第１の搬送ユニット４まで運ばれる。容器２から蓋３が取り外されると、次に、開口容器２は第２の搬送ユニット５によって放球サイロ９まで送られ、空気より軽い気体が気球に充填されると、ラジオゾンデはそこから大気中に放出される。その後、容器２は、第２の搬送ユニット５によって第１の搬送ユニット４まで戻されるため、空の容器２を再び蓋３に連結することができる。次に、空になった容器２は、ラジオゾンデの自動放球システム８の保管庫６に送られる。これまでに説明した移動プロセスは、通常、完全に自動化された状態で行われる。
【００２５】
本考案のいくつかの実施形態に従って、空になった容器２は、蓋３を取り外した後、第１の搬送ユニット４によって供給ステーションまで送られる。この種のステーションは、ローディングステーション、充填ステーション、ターミナルなどと呼ぶこともできる。供給ステーションでは、ゾンデと気球を再び容器２に装備することが可能である。いくつかの実施形態によれば、空の容器を取り出すこと、及び／又は供給ステーションを介して新しい充填済み容器を装置に提供することも可能である。続いて、再充填された容器２又は新しい容器２は、蓋３を取り付けた後で、第１の搬送ユニット４によって保管庫に送ることができる。保管庫から供給ステーションに空の容器２を送るユーザーの要求は、例えばボタンを押すことで行ってよい。供給ステーションから保管庫に容器を戻すユーザーの要求は、例えば同様に別のボタンを押すことで行ってよい。
【００２６】
本考案のその他の実施形態に従って、この構成はコンピュータ１０を有している。コンピュータ１０を使って、ユーザーは、ラジオゾンデの自動放球システム８の保管庫６内の容器２を選択し、供給ステーションへの輸送を要求することができる。容器２の保管庫６への戻りも、コンピュータ１０によって実施できる。ユーザーは、保管庫６における容器２の充填状態を、コンピュータ１０を使って監視することも可能である。また、コンピュータ１０は、保管庫６から放球サイロ９又はその逆方向への容器２の輸送を制御することにも使用できる。特に、コンピュータ１０は、搬送ユニット４、５の制御に用いてもよい。
【００２７】
本考案の実施形態は、ここに開示されている特殊な構造、方法工程又は材料に限定されず、関連領域の平均的当業者には明らかなように、それらと同等のものにまで拡大可能であることは自明である。さらに、当然ながら、ここで使用されている用語は、特定の実施形態を説明する目的にのみ用いているのであって、制限するものと見なしてはならない。
【００２８】
本明細書全体において、いくつかの実施形態又は任意の実施形態に言及することは、実施形態との関連で説明されている機能、構造又は特性が本考案の少なくとも１つの実施形態の中に含まれていることを意味している。従って、本明細書のさまざまな箇所で「唯一の実施形態において」又は「任意の実施形態において」という表現が用いられていても、それらは必ずしも同一の実施形態の全てに関連しているとは限らない。例えば、「約」又は「ほぼ」などの用語付きで数値に言及している場合、正確な数値も同様に開示される。
【００２９】
ここで使用されているように、多数の対象物、構成要素、組成要素及び／又は材料は、便宜上、共通のリストによって表示してもよい。但し、これらのリストは、リスト内の各要素が個々に独立した一義的要素として識別されるものと理解する必要がある。従って、そのようなリストの個々の要素は、共通のグループにおけるリストの表示にだけ基づいて、その逆を指示することなく、同じリストの別の要素の事実上の同等物として解釈されるべきではない。さらに、本明細書では、本考案のさまざまな実施形態及び実施例が、そのさまざまな構成要素の代替物とともに言及されることもある。当然ながら、そのような実施形態、実施例及び代替物は、事実上の同等物として解釈するのではなく、本考案の独立した、自律的な表現として見なされなければならない。
【００３０】
また、説明されている特徴、構造又は特性は、１つ以上の実施形態の中でそれぞれ適切な形で組み合わされてもよい。以下の説明では、本考案の実施形態をさらに理解しやすくするため、例えば長さ、幅、形状などの多数の特殊な個別事項を引用している。しかしながら、当該分野の業者には、特殊な個別事項の引用が一切なくても、あるいはその他の方法、構成要素、材料などによって本考案を実施できることは明らかである。また他の事例では、本考案の態様を不明瞭にしないために、すでに知られている構造、材料又はプロセスについては詳細な表示や説明を行っていない。
【００３１】
前述の例は、１つ以上の特定の用途において本考案の原理を具体的に説明するものであるが、当該領域の平均的業者には、考案的能力を行使することなく、及び本考案の原理とコンセプトから逸脱することなく、実装の形式、利用及び個別事項に関して多数の変更を行うことができるのは明らかであろう。従って、以下に記載の請求項以外の方法に本考案が制限されることを意図しているものではない。
【００３２】
本明細書において「有する」又は「含む」という動詞は、記載されていない特徴の存在を除外も要求もしないオープンな限定として使用される。従属請求項に記載される特徴は、明確に記載がない限り、相互に自由に組み合わせることができる。さらに、「１つ」という言葉の使用、すなわち単数形は、本明細書を通じて複数も除外されないことを理解する必要がある。
【産業上の利用可能性】
【００３３】
本考案の少なくとも１つの実施形態は、ラジオゾンデの自動放球システムにおいて産業上の利用がある。
【符号の説明】
【００３４】
１  構成
２  容器
３  蓋
４  第１の搬送ユニット
５  第２の搬送ユニット
６  保管庫
７  供給ステーション
８  ラジオゾンデの自動放球システム
９  放球サイロ
１０  コンピュータ
１１  コンテナ
１２  第１のチャンバー
１３  第２のチャンバー
１４  連結部品
Ａ  矢印
Ｂ  矢印
Ｃ  矢印
【図１】
0003224940.tif 000003
【図２】
0003224940.tif 000004
【図３】
0003224940.tif 000005
【図４】
0003224940.tif 000006
【手続補正書】
【提出日】令和1年11月19日(2019.11.19)
【手続補正１】
【補正対象書類名】実用新案登録請求の範囲
【補正対象項目名】全文
【補正方法】変更
【補正の内容】
【実用新案登録請求の範囲】
【請求項１】
ラジオゾンデの自動放球システム（８）で使用する構成（１）であって、
−  ゾンデと気球が配置されている少なくとも１つの容器（２）であって、前記少なくとも１つの容器（２）と脱着可能に連結されている蓋（３）を有している、少なくとも１つの容器（２）と、
−  第１の搬送ユニット（４）であって、前記蓋（３）とかみ合わせることができ、前記少なくとも１つの容器（２）に関して、前記蓋（３）を第１のポジションから第２のポジションに移動させることができる、第１の搬送ユニット（４）と
を有している構成（１）。
【請求項２】
前記第１の搬送ユニット（４）はロボットである、請求項１に記載の構成（１）。
【請求項３】
前記第１の搬送ユニット（４）は、前記少なくとも１つの容器（２）に関して、前記少なくとも１つの容器（２）を前記蓋（３）で閉鎖している前記第１のポジションから、前記少なくとも１つの容器（２）から前記蓋（３）を取り外している前記第２のポジションへと、前記蓋（３）を移動できるように設計されている、請求項１又は２に記載の構成（１）。
【請求項４】
前記少なくとも１つの容器（２）内にゾンデと気球が配置されており、前記構成（１）は、前記少なくとも１つの容器（２）が前記蓋（３）の取外し後に第２の搬送ユニット（５）によって前記気球と前記ゾンデを放球する放球サイロ（９）まで移動するように設計されている、請求項１から３のいずれかに記載の構成（１）。
【請求項５】
前記構成（１）は、前記少なくとも１つの容器（２）が前記気球と前記ゾンデの放球後に前記第２の搬送ユニット（５）によって、前記蓋（３）と前記少なくとも１つの容器（２）とを連結している前記第１の搬送ユニット（４）まで移動するように設計されている、請求項１から４のいずれかに記載の構成（１）。
【請求項６】
前記構成（１）は、前記少なくとも１つの容器（２）が前記蓋（３）の連結後に保管庫（６）へ移動するように設計されている、請求項１から５のいずれかに記載の構成（１）。
【請求項７】
前記構成（１）は、前記蓋（３）の取外し後に前記少なくとも１つの容器（２）にゾンデと気球を装備するため、前記少なくとも１つの容器（２）が供給ステーション（７）に移動するように設計されている、請求項１から６のいずれかに記載の構成（１）。
【請求項８】
前記少なくとも１つの容器（２）は、前記ゾンデを配置するための第１のチャンバー（１２）と、前記気球を配置するための第２のチャンバー（１３）を有している、請求項１から７のいずれかに記載の構成（１）。
【請求項９】
前記少なくとも１つの容器（２）は、ほぼ密閉状態又は密閉状態が生じるように前記蓋（３）で閉鎖されている、請求項１から８のいずれかに記載の構成（１）。
【請求項１０】
前記少なくとも１つの容器（２）及び／又は前記蓋（３）は、少なくとも１つのシールを有している、請求項１から９のいずれかに記載の構成（１）。
【請求項１１】
前記蓋（３）は、前記少なくとも１つの容器（２）に関して、前記第１の搬送ユニット（４）によって前記第２のポジションから前記第１のポジションへと戻ることができる、請求項１から１０のいずれかに記載の構成（１）。
【請求項１２】
前記構成（１）は、供給ステーションを有している、請求項１から１１のいずれかに記載の構成（１）。
【請求項１３】
前記構成（１）は、コンピュータ（１０）を有している、請求項１から１２のいずれかに記載の構成（１）。
【請求項１４】
前記構成（１）は、前記少なくとも１つの容器（２）を保管するための保管庫（６）を有している、請求項１から１３のいずれかに記載の構成（１）。
【請求項１５】
前記構成（１）は、少なくとも１つの別の搬送ユニットを有している、請求項１から１４のいずれかに記載の構成（１）。
【請求項１６】
前記構成（１）は、コンテナ（１１）内に配置されている、請求項１から１５のいずれかに記載の構成（１）。
【請求項１７】
前記第１の搬送ユニット（４）は、機械式グリッパー、真空グリッパー又はマグネットグリッパーを有している、請求項１から１６のいずれかに記載の構成（１）。